(57)【要約】【課題】一度に多くの画像情報を提示でき、且つ画像データの読取も可能でコンパクトな多機能装置を提供する。【解決手段】上ケース体２−２の上面に配置された原稿載置用のガラス板３７は電圧の印加・非印加により半透明と透明とに切換え可能である。上ケース体内には、投影手段３８とそれからの照射光を平反射または乱反射する反射面が備えられた反射体４０と、魚眼レンズ４４と、画像読み取りのための受光素子４１とが備えられ、投影手段より画像データまたはファクシミリ受信データによる画像を照射するときには、ガラス板３７を半透明とし、投影手段３８から白色光または単色光を照射するときには、ガラス板３７を透明に切り換える。投影画面を見るとき、または原稿読取り時にも、上ケース体毎ガラス板３７を傾斜させることができる。【選択図】図４
2011041004.tif 000002
【特許請求の範囲】
【請求項１】
装置本体の上面に原稿載置ガラスが配置され、前記原稿載置ガラスを覆う原稿押えカバー体が前記装置本体の上面一側部にヒンジ部を介して起伏回動可能に装着されてなる多機能装置であって、
前記原稿載置ガラスは電圧の印加・非印加により半透明と透明とに切換え可能な調光ガラスにて構成され、
前記原稿載置ガラスを透明または半透明とするための電圧印加手段と、前記原稿載置ガラス上に載置された原稿の画像読み取りのための受光素子とを備え、
前記原稿載置ガラス上に載置された原稿の画像読み取り動作時には、投影手段より白色光または単色光を照射し、且つ、前記原稿載置ガラスを透明となるように電圧調整し、
前記投影手段より画像データまたはファクシミリ受信データによる画像を含む光を前記原稿載置ガラスに照射するときには、前記原稿載置ガラスを半透明となるように電圧調整することを特徴とする多機能装置。
【請求項２】
前記装置本体内には、前記原稿載置ガラスより下方位置に、前記投影手段と、前記投影手段からの照射光を反射する反射体と、魚眼レンズと、前記受光素子と、前記魚眼レンズの位置を前記反射体に関連する第１の位置と前記受光素子に関連させる第２の位置とに移動させる魚眼レンズ用アクチュエータとが備えられ、
前記反射体は、照射光を乱反射させる乱反射面と、平反射面とが備えられ、
前記反射体を乱反射面と、平反射面とに切り換えるための反射体用アクチュエータが備えられ、
前記原稿載置ガラス上に載置された原稿の画像読み取り動作時には、前記投影手段からの照射光を前記反射体における乱反射面を介して前記原稿載置ガラスの広い領域に照射し、且つ前記原稿からの反射光が前記魚眼レンズを介して前記受光素子に入力されるように制御し、
前記投影手段より画像データまたはファクシミリ受信データによる画像を前記原稿載置ガラスに照射するときには、前記投影手段からの画像を含む光を前記反射体における平反射面及び前記魚眼レンズを介して前記原稿載置ガラスに投影するように制御することを特徴とする請求項１に記載の多機能装置。
【請求項３】
前記反射体はその表面に平反射面を有し、裏面が照射光を乱反射する乱反射面を有し、  前記反射体用アクチュエータは前記反射体の表裏面を反転動させるように駆動することを特徴とする請求項１または２に記載の多機能装置。
【請求項４】
前記原稿載置ガラスと前記投影手段と前記反射体と前記受光素子とを備えた上ケース体は下ケース体に対して上下回動可能に設けられ、
前記原稿載置ガラス上に載置された原稿の画像を読み込むときには、前記上ケース体を下ケース体に対して閉じ姿勢であり、
前記投影手段より前記画像データまたはファクシミリ受信データによる画像を照射するときには、前記原稿押えカバー体を前記上ケース体に対して適宜鋭角範囲内に開き保持可能に構成されていることを特徴とする請求項２乃至３のいずれかに記載の多機能装置。
【請求項５】
前記受光素子で読み込まれた原稿の画像を用紙に複写するコピー部と、各種記録媒体を装填可能なスロット部とのうち少なくとも１つの機能を備えたことを特徴とする請求項１乃至４のいずれかに記載の多機能装置。
【発明の詳細な説明】
【技術分野】
【０００１】
本発明は、印刷しなくても受信などした画像データを視認可能なファクシミリ機能や画像読取機能を備えた多機能装置に関するものである。
【背景技術】
【０００２】
従来の文字や図形などの画像データを送受信可能なファクシミリ装置（印刷装置）では、特許文献１及び２に示すように、受信した画像データを給紙トレイから供給された用紙に印刷することで、そのデータを画像として視認できる他、ファクシミリ装置本体の上部前側に投影手段（プロジェクタ）を備え、装置本体の後端には、前下り傾斜して用紙を給紙するための給紙トレイを備え、この給紙トレイの表面または給紙トレイに載置された白色等の用紙に投影手段から画像を投影する構成が提案されている。なお、本願発明では、画像とは、文字、図形、写真などの静画及び映像などの動画を含む意味である。
【０００３】
他方、特許文献３に示すように、ファクシミリ機能、スキャナ機能、プリンタ機能を備えた多機能装置では、装置本体の上面に原稿載置ガラスが配置され、原稿載置ガラスを覆う原稿押えカバー体が装置本体の上面一側部にヒンジ部を介して起伏回動可能に装着され、原稿載置ガラスの下面に沿って往復移動するコンタクトイメージセンサにより原稿載置ガラス上に載置された原稿の画像を読み取る読取部を備える一方、装置本体における前記読取部より下方位置はインクジェット式などの印刷部（画像記録部）を備えた構成が提案されている。
【先行技術文献】
【特許文献】
【０００４】
【特許文献１】特開２００７−８１９５４号公報（図１〜５参照）
【特許文献２】特開２００７−２６７０１３号公報（図１〜５参照）
【特許文献５】特開２００８−１２２７３２号公報（図１〜４参照）
【発明の概要】
【発明が解決しようとする課題】
【０００５】
しかしながら、特許文献１及び２の構成では、給紙トレイに載置された白色等の用紙の全体に縦長の画像の全体を表示するためには、印刷装置の本体ケースの上端からの給紙トレイの上端位置までの高さ寸法を大きくしなければならないから、装置全体が嵩高くなる。従って、家庭内などで上記装置を棚上において使用するときには、給紙トレイの高さ分だけ棚上に取り扱いのために大きい空間が必要となる。
【０００６】
さらに、特許文献１及び２のファクシミリ装置（印刷装置）では、給紙トレイの機能上の制約のため、投影角度が固定されて調整できないので、ユーザの目視方向が制限されて見づらい。また、用紙に投影する場合、当該用紙の曲がり癖、撓みにより、投影された画像に歪みが発生して見づらくなるという問題があった。
【０００７】
他方、特許文献３の多機能装置では、画像を投影する投影手段が備えられておらず、この多機能装置に投影手段を付加するとすれば、画像を読み取る読取部のための光源に加えて、投影手段用の光源も別途必要となる。
【０００８】
さらに、特許文献３の多機能装置において、投影手段からの投影画面を垂直状に上開きした原稿押えカバー体の裏面に投影するとすれば、上記開いた原稿押えカバー体の高さ分だけ作業空間（取り扱い空間）が大きく必要となるという問題もあった。
【０００９】
本発明は、これらの従来技術の問題点を解決するためになされたものであり、一度に多くの画像情報を提示でき、且つ部品の共通化及び装置の小型化や取り扱い空間の増大化の防止も図ることができる多機能装置を提供することを目的とするものである。
【課題を解決するための手段】
【００１０】
請求項１に記載の発明は、装置本体の上面に原稿載置ガラスが配置され、前記原稿載置ガラスを覆う原稿押えカバー体が前記装置本体の上面一側部にヒンジ部を介して起伏回動可能に装着されてなる多機能装置であって、前記原稿載置ガラスは電圧の印加・非印加により半透明と透明とに切換え可能な調光ガラスにて構成され、前記原稿載置ガラスを透明または半透明とするための電圧印加手段と、前記原稿載置ガラス上に載置された原稿の画像読み取りのための受光素子とを備え、前記原稿載置ガラス上に載置された原稿の画像読み取り動作時には、投影手段より白色光または単色光を照射し、且つ、前記原稿載置ガラスを透明となるように電圧調整し、前記投影手段より画像データまたはファクシミリ受信データによる画像を含む光を前記原稿載置ガラスに照射するときには、前記原稿載置ガラスを半透明となるように電圧調整するものである。
【００１１】
請求項２に記載の発明は、請求項１に記載の多機能装置において、前記装置本体内には、前記原稿載置ガラスより下方位置に、前記投影手段と、前記投影手段からの照射光を反射する反射体と、魚眼レンズと、前記受光素子と、前記魚眼レンズの位置を前記反射体に関連する第１の位置と前記受光素子に関連させる第２の位置とに移動させる魚眼レンズ用アクチュエータとが備えられ、前記反射体は、照射光を乱反射させる乱反射面と、平反射面とが備えられ、前記反射体を乱反射面と、平反射面とに切り換えるための反射体用アクチュエータが備えられ、前記原稿載置ガラス上に載置された原稿の画像読み取り動作時には、前記投影手段からの照射光を前記反射体における乱反射面を介して前記原稿載置ガラスの広い領域に照射し、且つ前記原稿からの反射光が前記魚眼レンズを介して前記受光素子に入力されるように制御し、前記投影手段より画像データまたはファクシミリ受信データによる画像を前記原稿載置ガラスに照射するときには、前記投影手段からの画像を含む光を前記反射体における平反射面及び前記魚眼レンズを介して前記原稿載置ガラスに投影するように制御するものである。
【００１２】
請求項３に記載の発明は、請求項１または２に記載の多機能装置において、前記反射体はその表面に平反射面を有し、裏面が照射光を乱反射する乱反射面を有し、前記反射体用アクチュエータは前記反射体の表裏面を反転動させるように駆動するものである。
【００１３】
請求項４に記載の発明は、請求項２乃至３のいずれかに記載の多機能装置において、前記原稿載置ガラスと前記投影手段と前記反射体と前記受光素子とを備えた上ケース体は下ケース体に対して上下回動可能に設けられ、前記原稿載置ガラス上に載置された原稿の画像を読み込むときには、前記上ケース体を下ケース体に対して閉じ姿勢であり、前記投影手段より前記画像データまたはファクシミリ受信データによる画像を照射するときには、前記原稿押えカバー体を前記上ケース体に対して適宜鋭角範囲内に開き保持可能に構成されているものである。
【００１４】
請求項５に記載の発明は、請求項１乃至４のいずれかに記載の多機能装置において、前記受光素子で読み込まれた原稿の画像を用紙に複写するコピー部と、各種記録媒体を装填可能なスロット部とのうち少なくとも１つの機能を備えたものである。
【発明の効果】
【００１５】
請求項１に記載の発明によれば、多機能装置本体における調光ガラスであるガラス板を透明状態と半透明状態とのいずれかに選択的に切り換える操作により、ファクシミリ通信で受信した受信データや外部装置からの画像データを用紙に印刷することなく、投影手段から画像として投影することと、ガラス板に載置した原稿の画像を読み取ることの両方の動作が可能となる。従って、装置の構成を複雑化することなく、一層多機能化できるのである。
【００１６】
請求項２に記載の発明によれば、前記装置本体内には、前記原稿載置ガラスより下方位置に、前記投影手段と、前記投影手段からの照射光を反射する反射体と、魚眼レンズと、前記受光素子と、前記魚眼レンズの位置を前記反射体に関連する第１の位置と前記受光素子に関連させる第２の位置とに移動させる魚眼レンズ用アクチュエータとが備えられ、前記反射体は、照射光を乱反射させる乱反射面と、平反射面とが備えられ、前記反射体を乱反射面と、平反射面とに切り換えるための反射体用アクチュエータが備えられ、前記原稿載置ガラス上に載置された原稿の画像読み取り動作時には、前記投影手段からの照射光を前記反射体における乱反射面を介して前記原稿載置ガラスの広い領域に照射し、且つ前記原稿からの反射光が前記魚眼レンズを介して前記受光素子に入力されるように制御し、前記投影手段より画像データまたはファクシミリ受信データによる画像を前記原稿載置ガラスに照射するときには、前記投影手段からの画像を含む光を前記反射体における平反射面及び前記魚眼レンズを介して前記原稿載置ガラスに投影するように制御するものである。
【００１７】
従って、投影手段と原稿の読取部との光源の共通化も図ることができると共に、従来の受光素子を走査させて画像データを読み取るための駆動手段が不要となり、多機能装置の構成が簡単且つコンパクトになるという効果を奏する。
【００１８】
請求項３に記載の発明によれば、前記反射体はその表面に平反射面を有し、裏面が照射光を乱反射する乱反射面を有し、前記反射体用アクチュエータは前記反射体の表裏面を反転動させるように駆動するものであるから、前記反射体の姿勢を反転させて、乱反射面を使用することで、前記原稿載置ガラスの領域全体に照射光を照射でき、前記原稿載置ガラス上の原稿に光をあてることができる一方、平反射面を使用する時には、魚眼レンズを介して、半透明状態の原稿載置ガラスに画像を含む光を照射して、当該原稿載置ガラスの面にファクシミリ受信データや画像データの画像全体を一度に視認することができるという顕著な効果を奏する。そして、従来の受光素子を走査させて画像データを読み取るため等の多くの部品が不要となり、多機能装置の構成が簡単且つコンパクトになるという効果を奏する。
【００１９】
請求項４に記載の発明によれば、前記原稿載置ガラスと前記投影手段と前記反射体と前記受光素子とを備えた上ケース体は下ケース体に対して上下回動可能に設けられ、前記原稿載置ガラス上に載置された原稿の画像を読み込むときには、前記上ケース体を下ケース体に対して閉じ姿勢であり、前記投影手段より前記画像データまたはファクシミリ受信データによる画像を含む光を照射するときには、前記上ケース体を下ケース体に対して傾斜する傾斜姿勢に保持可能で且つ、前記原稿押えカバー体を前記上ケース体に対して適宜鋭角範囲内に開き保持可能であるものであるから、投影動作時に、投影面となるガラス板を下ケース体に対して傾斜させるように、上ケース体を開くことで、投影面を垂直状にする場合に比べて、装置の嵩高さを少なくできる結果、本発明の多機能装置を棚板上にセットすることも可能となり、使い勝手が向上する。
【００２０】
請求項５に記載の発明によれば、投影手段及び（原稿）画像の読取部及び画像の記録部（印刷部）に加えて、前記受光素子（画像の読取部）で読み込まれた原稿の画像を用紙に複写するコピー部と、各種記録媒体を装填可能なスロット部とのうち少なくとも１つの機能を備えた多機能装置である。
【００２１】
従って、本発明によれば、外部装置や各種記録媒体から取り込まれた画像データを印刷する以前に、投影手段とガラス板とよって、印刷すべき画像か否かの判断を行なえるので、印刷用の用紙の無駄な消費を無くすることができるという効果を奏するものである。
【図面の簡単な説明】
【００２２】
【図１】本発明の実施例に係る多機能装置１の外観構成を示す斜視図である。
【図２】画像読取部兼投影部の主要構成を示す概略斜視図である。
【図３】原稿（画像）読取動作時（原稿押えカバー体を閉じた状態）の画像読取部兼投影部を示す側面図である。
【図４】画像投影動作時（原稿押えカバー体を開いた状態）の画像読取部兼投影部を示す側面図である。
【図５】本発明の機能ブロック図である。
【発明を実施するための形態】
【００２３】
以下、適宜図面を参照して本発明の実施例について説明する。なお、本実施例は本発明の一例にすぎず、本発明の要旨を変更しない範囲で、実施例を適宜変更できることは言うまでもない。
【００２４】
図１は多機能装置１の斜視図である。この多機能装置１（ＭＦＤ：Multi Function Device ）は、プリンタ機能、ファクシミリ機能、コピー機能、原稿（画像）読取機能、及び画像投影機能等の複数の機能を備えているが、本発明は単独のファクシミリ装置に原稿（画像）読取機能、及び画像投影機能を付加したものでも良い。
【００２５】
［基本形態］
本実施例の多機能装置１は、図１に示すように、合成樹脂製の射出成形品からなる装置本体としてのハウジング２は下ケース体２−１と上ケース体２−２とからなり、下ケース体２−１には、その前側の開口部２ａから挿抜可能な第１給紙カセット３及び記録部７が配置されている。第１給紙カセット３の上面には、第２給紙カセット３０が進退動可能に連結または載置されている。他方、上ケース体２−２には後述するように、原稿（画像）読取機能及び画像投影機能を有する画像読取部兼投影部３３が備えられている。また、上ケース体２−２の上側前部には、後述するガラス板３３（調光ガラスであり、請求項にいう原稿載置ガラスに相当）より前方に各種操作ボタンを有する操作部１４ａや液晶表示部１４ｂ等を備えた操作パネル部１４が設けられている。
【００２６】
［記録部の構成］
図３及び図４に示すように、下ケース体２−１内にて、記録部７における記録ヘッド４が下面側に搭載されたキャリッジ５は、用紙搬送方向（Ｘ軸方向であり、副走査方向（主走査方向と直交する方向））の上流側の第１ガイド部材及び下流側の第２ガイド部材に跨がって摺動自在に支持（搭載）されて往復移動可能となっている。
【００２７】
インクジェット式の記録ヘッド４には、プラテン２６上の被記録媒体としての用紙に向けノズル（図示せず）を下向きに露出させている。
【００２８】
また、プラテン２６を挟んで搬送上流側には、用紙を記録ヘッド４の下面に送るためのレジストローラ（搬送ローラ）対２７が配置されており、プラテン２６の下流側には記録済みの用紙を、第２給紙カセット３０の上面に設けられた排紙受け部上に搬送するための排紙ローラ対２８が配置されている（図３、図４参照）。そして、記録ヘッド４は公知のように主走査方向（Ｙ軸方向）に移動しながら、ノズルから用紙にインクを選択式に吐出する。そのような記録ヘッド４の移動と用紙の移動とを繰り返することにより、用紙上には所望の画像が記録されるのである。
【００２９】
［給紙装置］
次に、給紙装置の構成について説明する。実施例では、多数枚の用紙を堆積収容可能な第１収容部内の用紙を１枚ずつ、給送手段６により記録部７に給送するための第１給紙カセット３が備えられている。また、この第１給紙カセット３の第１収容部上には、第１給紙カセット３及び給送手段６に対してＸ軸方向に沿って進退動可能に配置される第２給紙カセット３０が備えられている。第２給紙カセット３０は、第１給紙カセット３における用紙と異なるサイズ（葉書または写真のＬ版等）の複数枚（少なくとも１枚以上）の用紙を堆積状態で収容可能である。第２給紙カセット３０には、その後方（給送方向上流側部位）に、トレイ状の排紙受け部が一体的に形成されている。
【００３０】
実施例では、給送手段６における合成樹脂製のアーム体６ｃは駆動軸２９を中心にして上下方向に回動可能であり、アーム体６ｃ先端部に給紙ローラ６ａが配置され、駆動軸２９から図示しない歯車伝動機構を介して給紙ローラ６ａを回転駆動する。
【００３１】
また、第１給紙カセット３の先端（給送方向の下流側、図３参照）には、用紙分離用の傾斜分離板８が配置されている。給送手段６における給紙ローラ６ａと、傾斜分離板８の幅方向（Ｙ軸方向）の中央部の内面（表面）側に設けられた分離手段としての弾性分離パッド（図示せず）との協働作用により、第１給紙カセット３または第２給紙カセット３０に堆積された被記録媒体である用紙を一枚ずつ分離搬送する。分離された用紙は上横向きのＵターンパス用の搬送路体９を介して第１給紙カセット３より上側に設けられた記録部７に給送される。そして、記録部７にて記録された用紙がその記録面を上向きにして開口部２ａに向かって排出される。なお、記録部７（プリンタ部）はインクジェット式の他、レーザトナー式やサーマルヘッド式であっても良い。
【００３２】
［画像読取兼投影部］
下ケース体２−１の上部の一端の第１枢軸部３１を介して上ケース体２−２が上下方向に開閉回動可能に構成されている。実施例では、第１枢軸部３１は下ケース体２−１の前端側（開口部２ａを有する側面側）に配置され、上ケース体２−２を上向き回動させたときには、当該上ケース体２−２における操作パネル部１４が前方に起立する姿勢となる。そして、図４に示すごとく、所定の傾斜角度θの姿勢で保持するため、下ケース体２−１の上面に起伏回動可能に設けられた支持杆３４にて上ケース体２−２を支えることができる構成である。
【００３３】
上ケース体２−２内には、コピー機能やファクシミリ機能における原稿（画像）読取部と、ファクシミリ受信などによる画像データをユーザが視認可能となるようにする投影部とを兼用する画像読取部兼投影部３３が配置されている。
【００３４】
上ケース体２−２の上端には、その後端縁における第２枢軸部３５を介して原稿押えカバー体３６が上下回動可能に装着されている。この原稿押えカバー体３６の下面には、白色などの原稿押え板（不図示）が固定されている。
【００３５】
上ケース体２−２の上面には、原稿を載置することができる載置用のガラス板３７（請求項の原稿載置ガラスに相当）が設けられている。このガラス板３７は、電圧の印加と非印加（印加オフ）の状態により白濁の半透明状態と透明状態とに切り替わる調光ガラスにて構成されている。実施例では、調光ガラスは、一対のガラス基板の間に液晶物質からなるフィルム状などの透明電極層を挟み接合したものであり、透明電極層から外部まで、引き出しパターンが形成されており、印加手段３８にて透明電極に電圧が印加される構造である。
【００３６】
実施例として使用される液晶物質の一例として、ＤＭＳ（ダイナミックスキャッタリングモード液晶）では、非印加（印加オフ）のときには透明であり、光透過率はほぼ１００％に近いが、印加電圧を上げていくに従って、白濁し始め、所定の印加電圧値にて、完全に白濁して不透明となる。本実施例でこのタイプの液晶調光ガラスを使用することで、後述するように、原稿読取操作の頻度が投影操作よりも多いため、通常は印加オフの状態にして、電力の消費を軽減することができる。本発明では、ガラス板３７を半透明の白濁状態にすることにより、後述するように、上ケース体２−２の内部の画像読取部兼投影部３３にてガラス板３７の下面側に投射された映像（画像）がガラス板３７上面側（上ケース体２−２の外側）から視認することができるものである。
【００３７】
なお、液晶物質の一例として、ＰＮＬＣＤ（ポリマーネットワーク液晶）では、非印加（印加オフ）のときには白濁状態で不透明乃至半透明であるが、印加電圧を上げていくに従って透明となるタイプであり、投影操作の頻度が原稿読取操作の頻度よりも多い場合に適していることになる。調光ガラスとして液晶以外にエレクトロクロミック素子を利用したものなどが適用可能である。
【００３８】
上ケース体２−２内のガラス板３７の下側に配置された画像読取部兼投影部３３の構成について説明する。
【００３９】
即ち、上ケース体２−２内には、原稿押えカバー体３６を開閉回動させるための第２枢軸部３５と反対側（操作パネル部１４側）に投影手段３８が配置され、この投影手段３８の内部には、白色光または単色光を照射するための光源４２（図５参照）を有している。この光源４２は、蛍光管またはＬＥＤ（発光ダイオード）であることが好ましい。
【００４０】
そして、投影手段３８から照射された白色光または単色光や画像をガラス板３７の下面に向かって反射させるための反射体４０が揺動回動可能及び反転動可能に設けられている。即ち、反射体４０は軸線周りに回動可能な横軸４３に取り付けられ、横軸４３にはこの横軸４３を正逆回転可能とする反射体用アクチュエータ４７が設けられている。
【００４１】
反射体４０は、光を乱反射させる乱反射面と、鏡のように光を反射させる平反射面とを有する。実施例では、表面が平反射面であり、裏面が乱反射面に形成されている。ガラス板３７より下方であって、反射体４０の側方にはガラス板３７上に載置された原稿Ｇの画像を読み込むための受光素子４１が配置されている。
【００４２】
また、ガラス板３７より下方であって、反射体４０より上方側には、魚眼レンズ４４が配置される。実施例では、水平方向に移動可能な移動軸４５の先端に魚眼レンズ４４が取り付けられており、魚眼レンズ用アクチュエータ４６により移動軸４５はその軸線の延びる方向に移動可能となっている。そのため、魚眼レンズ４４が反射体４０の上方位置（反射体４０と関連する第１の位置）と、反射体４０から外れた位置（受光素子４１に関連する第２の位置）とに選択的に移動可能に構成されている（図２参照）。
【００４３】
投影手段３８より画像データまたはファクシミリ受信データによる画像を含む光をガラス板３７に照射するときには、ガラス板３７を半透明となるように電圧調整すると共に、魚眼レンズ４４を反射体４０の上方位置（反射体４０と関連する第１の位置）に移動させるように魚眼レンズ用アクチュエータ４６を駆動する。また、反射体用アクチュエータ４７を駆動させて反射体４０の平反射面が斜め上向きで投影手段３８からの光を受けることができるように位置保持する。この状態で、投影手段３８からの画像を含む光が反射体４０における平反射面及び魚眼レンズ４４を介してガラス板３７に投影させるように制御するものである（図４参照）。
【００４４】
他方、ガラス板３７上に載置された原稿Ｇの画像を読み取る動作時には、ガラス板３７を透明となるように電圧調整する。そして、魚眼レンズ４４が反射体４０から外れた第２の位置に移動するように魚眼レンズ用アクチュエータ４６を駆動する。他方、反射体４０の乱反射面が斜め上向きで、且つ投影手段３８（光源４２）からの光を受けることができるように位置保持する。この状態で、投影手段３８における光源４２からの白色光または単色光の照射光が反射体４０における乱反射面に照射され、その乱反射された光がガラス板３７の広い範囲にわたって照射できるようにする。ガラス板３７に下面から照射された光によって、ガラス板３７の上面に載置された原稿Ｇの画像面に照射される。その光が魚眼レンズ４４を介して受光素子４１にて受光される。
【００４５】
［多機能装置１の制御手段］
図５は多機能装置１の制御手段を示す機能ブロック図である。制御手段におけるマイクロコンピュータ等の電子制御装置５０には、通信データを受信する送受信手段としてのＦＡＸ通信装置５１と、受信手段で受信した受信データから画像データを生成する画像データ生成手段（画像生成部５２）と、画像データ生成手段で生成した画像データを基に画像を含む光を投影する投影手段３８と、投影手段３８に内蔵されている光源４２と、反射体４１の向きを変更させるための反射体用アクチュエータ４７と、受光素子４１と、ガラス板３７に電圧を印加するための電圧印加制御部（電圧印加手段）５４と、受光素子４１から入力した画像データ及び投影手段３８から出力する画像データを補正するための画像補正部５５と、用紙に画像を記録するための記録部７と、受光素子４１で読み込まれ画像補正部５５で補正されて正常となった画像を用紙に複写するコピー部（記録部７が兼用されている）が接続されている。なお、電子制御装置５０には図示していないが、制御プログラムが記憶されたＲＯＭと、各種データを記憶するＲＡＭと、画像データを記憶したり、画像データとファクシミリ送受信のデータとの変換などを実行するＥＥＰＲＯＭなどを備えている。
【００４６】
［原稿読取時の動作］
コピー機能、スキャナ機能やファクシミリ送信機能のためにガラス板３７上に載置された原稿の画像を読み込むときには、まず、液晶調光ガラスからなるガラス板３７を透明状態にするため、電圧印加制御部（電圧印加手段）５４をオフとし、ガラス板３７に電圧印加を与えない。また、下ケース体２−１に対して上ケース体２−２を閉じた状態にしておく（図３参照）。
【００４７】
ガラス板３７上に読み取るべき原稿を載置し、原稿押えカバー体３６を閉じて原稿の読取面をガラス板３７の上面に密着させる。次いで、投影手段３８の内部における光源４２をＯＮとし、画像を有していない白色光または単色光のみを、反射体４０に向かって照射する。その場合、反射体４０の乱反射面で光源４２からの光を乱反射させることにより、反射体４０での反射光がガラス板３７の下面の広い範囲を照射できるようにする。
【００４８】
このように、反射体４０からガラス板３７に光照射すると、当該ガラス板３７上に載置された原稿Ｇの表面で反射された光が魚眼レンズ４４を介して受光素子４１で受光されることで、原稿Ｇの画像データを読み込むことになる。
【００４９】
なお、魚眼レンズ４４を通し、受光素子４１を介して取り込んだ原稿Ｇの画像データは、ガラス板３７の中央部の画像が大きく、ガラス板３７の周辺の画像が小さく（狭く）なるように、通常（正常）な画像に対して歪んでいるので、画像補正部５５にて正常な画像に補正する。この補正手段は公知のものを使用するので、詳細な説明は省略する。
【００５０】
［画像投影時の動作］
投影手段３８から出力する画像をガラス板３７に投影する場合には、まず、液晶調光ガラスからなるガラス板３７を半透明の白濁状態にするため、印加制御部（印加手段）５４をオンとし、ガラス板３７に所定の電圧を印加する。また、下ケース体２−１に対して上ケース体２−２を傾斜状に開いた状態にして、支持杆３４にて支える（図４参照）。
【００５１】
次いで、投影手段３８の内部における光源４２をＯＮとし、画像を有している投影光を反射体４０に向かって照射する。その場合、反射体４０における平反射面に投影手段３８からの投影光が当たるように反射体用アクチュエータ４７を駆動する。
【００５２】
反射体４０での反射光が魚眼レンズ４４を介してガラス板３７の下面に照射されるとき、魚眼レンズ４４を介してガラス板３７の下面に映し出された画像が正常なものであるように、予め、画像補正部５５にて補正した画像データが投影手段３８からの投影光に含まれるようにしておくべきである。
【００５３】
このようにして、ガラス板３７の外側からユーザは大きい範囲の投影画面で静止画や動画を見ることができる。
【００５４】
投影された画像を見る場合に、原稿押えカバー体３６をガラス板３７の上面に対して適宜角度だけ開いておけば、外部の光（日光や室内灯の光）をガラス板３７に直接照射させないための庇の役割を果たすことができる。
【００５５】
上記の投影手段３８による画像投影操作と画像読取操作との切換えについては、操作パネル部１４におけるキー操作部１４ａの操作により液晶表示部１４ｂに操作手順を表示することでユーザが操作の実行が容易になる。即ち、キー操作部１４ａの操作により、画像投影操作モードと画像読取操作モードとに切り換える。そしてそのモードに応じて、調光ガラスであるガラス板３７ヘの電圧印加の調節及び反射体４０の平反射面と乱反射面との向きの変更及び魚眼レンズ４４の位置の移動が自動的に実行されるものである。
【００５６】
なお、多機能装置１は、不図示のコンピュータ（外部情報機器）と主に接続されて、該コンピュータから送信された画像データや文書データを含む印刷データに基づいて、被記録媒体としての用紙に画像や文書を記録することができる。また、多機能装置１には、デジタルカメラ等の外部機器が接続されて、デジタルカメラ等から出力される画像データを用紙に記録したり、メモリカード等の各種記憶媒体の外部メモリを取り込む（装填する）スロット部を設けて、該記憶媒体に記録された画像データ等を用紙に記録したり、上述のように投影手段３８により画像を投影することも可能である。
【００５７】
上記の構成により、本願発明によれば、原稿載置用のガラス板３７を液晶調光ガラスにて構成することで、原稿を読み取るときの原稿載置部と、投影手段のための投影面としての両方の用途に兼用できるから、装置の構造を簡略化でき、製造コストが低減できる。また、投影手段３８における光源を画像読取の装置にも兼用（共用）できるのでさらに製造コストが低減できる。
【００５８】
さらに、投影動作時及び画像読取操作時に、投影面となるガラス板３７を下ケース体２−１に対して傾斜させるように、上ケース体２−２を開くことで、投影面（原稿載置面）を垂直状にする場合に比べて、装置の嵩高さを少なくできる結果、本発明の多機能装置を棚板上にセットすることも可能となり、使い勝手が向上する。
【符号の説明】
【００５９】
１    多機能装置
２    装置本体としてのハウジング
２−１    下ケース体
２−２    上ケース体
１４    操作パネル部
３１    第１枢軸部
３３    画像読取部兼読取部
３５    第２枢軸部
３６    原稿押えカバー体
３７    ガラス板
３８    投影手段
４０    反射体
４１    受光素子
４２    光源
４４    魚眼レンズ
４６    魚眼レンズ用アクチュエータ
４７    反射体用アクチュエータ
５０    電子制御装置
【図１】
2011041004.tif 000003
【図２】
2011041004.tif 000004
【図３】
2011041004.tif 000005
【図４】
2011041004.tif 000006
【図５】
2011041004.tif 000007